(57)【特許請求の範囲】
【請求項１】
手で掴むハンドル部と、
前記ハンドル部から延設された棒状の腕部と、
前記腕部の先端に取り外し可能に取り付けられる薬付け部と、を備え、
前記腕部は、前記ハンドル部から延設された第１棒部と、前記第１棒部と第１のくの字をなす第２棒部と、前記第２棒部に延設され前記第２棒部と第２のくの字をなす第３棒部と、前記第３棒部に延設され前記第３棒部と前記第２のくの字と逆の第３のくの字をなす第４棒部と、を有し、
前記第１のくの字のなす平面と前記第３のくの字のなす平面とは互いにほぼ直交し、
前記薬付け部は前記第４棒部の先端側部から前記第３のくの字のなす平面上に延設された取り付け軸に取り外し可能に取り付けられ、前記薬付け部の中心部はほぼ前記第１のくの字のなす平面上に位置し、
前記薬付け部は、前記取り付け軸の回りに回転自在な回転ローラ体であり、
前記回転ローラ体が前記取り付け軸の回りに所定角度範囲内でのみ回転自在であるようにストッパを有する
ことを特徴とする薬塗り具。
【請求項２】
前記第２のくの字と前記第３のくの字はほぼ同一平面内にある
ことを特徴とする請求項１に記載の薬塗り具。
【請求項３】
前記薬付け部の中心部をほぼ前記第２棒部の延長上に位置する
ことを特徴とする請求項１に記載の薬塗り具。
【発明の詳細な説明】
【０００１】
【発明の属する技術分野】
本発明は、手で操作し操作する者の背中等に薬を自分で塗ることが可能な薬塗り具に関する。
【０００２】
【従来の技術】
背中等のように自分自身で薬を塗りにくい部所へ、定期的に薬を塗る必要がある場合がある。
【０００３】
【発明が解決しようとする課題】
この場合、薬を塗ってもらうためだけに病院へ通い、病院で薬を塗ってもらうことが行われている。
【０００４】
そこで、本発明の目的は、上記従来技術の問題を解消し、背中等のように自分自身で薬を塗りにくい部所に容易に薬を塗ることができる薬塗り具を提供することである。
【０００５】
【課題を解決するための手段】
上記目的を達成するために、本発明の薬塗り具は、手で掴むハンドル部と、前記ハンドル部から延設された棒状の腕部と、前記腕部の先端に取り外し可能に取り付けられる薬付け部と、を備え、前記腕部は、前記ハンドル部から延設された第１棒部と、前記第１棒部と第１のくの字をなす第２棒部と、前記第２棒部に延設され前記第２棒部と第２のくの字をなす第３棒部と、前記第３棒部に延設され前記第３棒部と前記第２のくの字と逆の第３のくの字をなす第４棒部と、を有し、前記第１のくの字のなす平面と前記第３のくの字のなす平面とは互いにほぼ直交し、前記薬付け部は前記第４棒部の先端側部から前記第３のくの字のなす平面上に延設された取り付け軸に取り外し可能に取り付けられ、前記薬付け部の中心部はほぼ前記第１のくの字のなす平面上に位置し、前記薬付け部は、前記取り付け軸の回りに回転自在な回転ローラ体であり、前記回転ローラ体が前記取り付け軸の回りに所定角度範囲内でのみ回転自在であるようにストッパを有することを特徴とする。
【０００６】
これによって、薬付け部の中心部をほぼ第１のくの字のなす平面上に位置するので、薬付け部の重心位置が第３のくの字のなす平面内に安定して位置し、安定した操作が可能になる。また、第１のくの字のなす平面と第３のくの字のなす平面とは互いにほぼ直交し、薬付け部は第４棒部の先端側部から第３のくの字のなす平面上に延設された取り付け軸に取り付けられるので、薬付け部の移動位置をハンドル部を上下動する移動動作に直感的に容易に結びつけることができる。
【０００７】
また、前記第２のくの字と前記第３のくの字はほぼ同一平面内にある
ことを特徴とする。
【０００８】
また、前記薬付け部の中心部をほぼ前記第２棒部の延長上に位置することを特徴とする。
【００１２】
【発明の実施の形態】
以下に図面を参照して、本発明の薬塗り具の実施の形態について説明する。
【００１３】
図１乃至図３を参照して、本発明の薬塗り具の第１の実施の形態について説明する。図１または図２に示すように、薬塗り具１は、ゴム材等からなる手で掴むハンドル部２と、ハンドル部２から延設された棒状の腕部３と、腕部３の先端に取り外し可能に取り付けられる薬付け部４とを備えている。
【００１４】
腕部３は、塩ビ材等の中空の軽量な樹脂材等からなり、ハンドル部２から延設された第１棒部１０と、第１棒部１０と第１のくの字１１をなす第２棒部１２と、第２棒部１２に延設され第２棒部１２と第２のくの字１３をなす第３棒部１４と、第３棒部１４に延設され第３棒部１４と第２のくの字１１と逆の第３のくの字１５をなす第４棒部１６とを有する。腕部３は、人体の上半身の長さを有し、例えば焼く５０ｃｍの長さを有する。
【００１５】
図２及び図３に示すように、第１のくの字１１のなす平面すなわち第１棒部１０と第２棒部１２とでなす平面２１と、第３のくの字１５のなす平面すなわち第３棒部１５と第４棒部１６とでなす平面２２とはほぼ直交している。
【００１６】
また、第２のくの字１３のなす平面は、第３のくの字１５のなす平面２２とほぼ同一面にある。このように、第２のくの字１３と第３のくの字１５とを同一平面上で形成することによって、薬塗り具１を立体的にコンパクトに形成できるとともに、加工形成を容易に行うことができる。
【００１７】
薬付け部４は、例えばデルリン材等の樹脂材からなる円柱状の回転ローラ体で形成されており、この回転ローラ体は第４棒部４の先端の側部から第３のくの字１５のなす平面２２上に延設された取り付け軸２３に取り付けられ、薬付け部４の中心部Ｃをほぼ第１のくの字１１のなす平面２１上にあり、例えば、第２棒部１２の延長上に位置する。
【００１８】
次に、図３を参照して、本実施の形態の作用について説明する。
【００１９】
老人等の操作者は、薬付け部４を構成する回転ローラ体の回転面に軟膏等の薬をつけ、ハンドル部２を手で持ち、背中に薬付け部４を当接し、ハンドル部２を前後動することによって薬付け部４の回転ローラ体を背中面上で回転させる。
【００２０】
第１のくの字１１が形成されているので、肩越しにハンドル部２を手で持ち、無理なく背中に薬付け部４を当接させることができる。
【００２１】
薬付け部４の中心部Ｃは第１のくの字１１のなす平面２１上にあるので、薬付け部４の重心位置が平面２１内に安定して位置し、また、薬付け部４の移動位置をハンドル部２を上下動する移動動作に直感的に容易に結びつけることができ、目視できない背中等に薬付け部４を移動操作する場合にあっても、所望の移動位置に薬付け部４が移動するようにハンドル部２を容易に操作することができる。
【００２２】
第１のくの字１１のなす平面２１と第３のくの字１５のなす平面２２とはほぼ直交しているので、ハンドル部２を移動操作することによって、第３のくの字１５のなす平面２２が背中面上に沿うよう移動させることができ、所望の移動位置に薬付け部４が移動するようにハンドル部２を容易に操作することができる。
【００２３】
また、第２のくの字１３のなす平面は、第３のくの字１５のなす平面２２とほぼ同一面にあるので、薬塗り具１を立体的にコンパクトに形成できるとともに、加工形成を容易に行うことができる。
【００２４】
次に、図４乃至図７を参照して、本発明の第２の実施形態について説明する。
【００２５】
本実施形態の薬塗り具３０において、薬付け部３４は平板状の形状を有し、第４棒部４の側部に突出された補助軸３６と取り付け軸２３とによって第４棒部４の側部に取り付けられている。薬塗り具３０は、取り付け軸２３及び補助軸３６に装着される基部３４ａと基部３４ａに取り外し可能に取り付けられる外側部３４ｂとから構成されている。基部３４ａは塩ビ材等の軽量な樹脂材等からなり、その表面に、図７に示すように、多数の繊維状の多数の鍵部が形成されたシート材は貼り付けられている。また、基部３４ａに取り外し可能に取り付けられる外側部３４ｂは、スポンジ材等の吸収部材からなり、図７に示すように、外側部３４ｂの一面には多数の繊維状の多数の鍵部が形成されている。外側部３４ｂの鍵部と基部３４ａの鍵部とが取り外し可能に係合するようになっている。
【００２６】
外側部３４ｂはスポンジ材等の吸収部材で構成されているので、液状のローション等の薬を外側部３４ｂにしみ込ませ、背中等の患部に外側部３４ｂを当接し、外側部３４ｂを移動操作することによって塗ることができる。
【００２７】
本実施の形態においても、第１の実施形態と同等の効果を奏することができる。また、薬塗り具３０と薬塗り具４とは、互いに置換できるので、患部の位置や使用する薬剤の種類、例えば液状か否か、粘性が大きいか否か等に応じて付け替えればよい。
【００２８】
次に、図８を参照して、本発明の第３の実施形態について説明する。
【００２９】
図８に示すように、薬付け部４０は、例えばデルリン材等の樹脂材からなる円柱状の回転ローラ体で形成されており、この回転ローラ体の側面には、所定角度範囲θ、例えば９０度の範囲に円弧状に切り溝４２が形成されている。また、第４棒部４の側部には、補助軸３６と取り付け軸２３との間にビス４４が装着され、ビス４４の先端部は切り溝４２内に滑動自在に挿入されている。薬付け部４０の回転ローラ体に回転力が加えられると、回転ローラ体は回転するが、切り溝４２の両端がストッパーとして作用し回転ローラ体は所定角度範囲θ内においてのみ回転する。この場合、薬は、回転ローラ体が背中等に接触する回転範囲のみに塗られる。
【００３０】
上述の実施形態によれば、薬付け部４０を形成する回転ローラ体の側面に形成した切り溝４２の両端がストッパーとして作用する。これによって、回転ローラ体が限られた角度範囲しか回転しないので、回転ローラ体が安易に回転し過ぎることがなく、薬付け部４０に大きな力を加えることができる。このことは、特に薬を擦り込んだり、塗り込んだりする場合に有効である。
【００３１】
また、薬を回転面の全体ではなく、有効面のみに塗ればよいので、回転ローラ体の回転面に残存する薬の量を少なくでき、薬を節約できるとともに有効に利用することができる。
【００３２】
なお、上述の説明において、薬塗り具４，３４は、薬剤を装着するものとして説明したが、実際の薬剤に限らず、体に塗布するものであれば他のものであってもよい。
【００３３】
また、背中を患部の一例としたが、患部はこれに限らず、脚や腹等であってもよい。
【００３４】
【発明の効果】
以上説明したように、本発明の構成によれば、背中等のように自分自身で薬を塗りにくい部所に容易に薬を塗ることができる。
【図面の簡単な説明】
【図１】本発明に係る薬塗り具の第１の実施形態を示す斜視図。
【図２】図１に対応する平面図（ａ）と、この平面図に対応する側面図。
【図３】使用状態を示す図。
【図４】本発明に係る薬塗り具の第２の実施形態を示す斜視図。
【図５】図４に対応する平面図（ａ）と、この平面図に対応する側面図。
【図６】図４に示すものを拡大して一部示す図。
【図７】第２の実施形態に係る薬塗り具の薬付け部の詳細を示す図。
【図８】本発明に係る薬塗り具の第３の実施形態を示す斜視図。
【符号の説明】
１、３０  薬塗り具
２  ハンドル部
３  腕部
４、３４  薬付け部
１０  第１棒部
１１  第１のくの字
１２  第２棒部
１３  第２のくの字
１４  第３棒部
１５  第３のくの字
１６  第４棒部
【図１】
0003573413.tif 000002
【図２】
0003573413.tif 000003
【図３】
0003573413.tif 000004
【図４】
0003573413.tif 000005
【図５】
0003573413.tif 000006
【図６】
0003573413.tif 000007
【図７】
0003573413.tif 000008
【図８】
0003573413.tif 000009